(57)【要約】【課題】広がったままの状態が維持可能な立体花入れ袋、及び立体花入れ袋内に花が収容された花製品を提供する。【解決手段】立体花入れ袋１は、第一の袋２と第二の袋３とを備える。第一の袋２及び第二の袋３はそれぞれ、第一面部２１、３１と、第一面部２１、３１に対向する第二面部２２、３２と、第一面部２１、３１の左端と第二面部２２、３２の左端とが一体的に接続された折り目状の左側縁部２３、３３と、第一面部２１、３１の右端と第二面部２２、３２の右端とが一体的に接続された折り目状の右側縁部２４、３４とを有する。第二の袋３は、第二の袋３の第一面部３１が第一の袋２の左側縁部２３に対向し、第二の袋３の第二面部３２が第一の袋２の右側縁部２４に対向するよう、第一の袋２の外側下部に被せられている。【選択図】図４
2019104513.tif 000002
【特許請求の範囲】
【請求項１】
第一面部と、前記第一面部に対向する第二面部と、前記第一面部の左端と前記第二面部の左端とが一体的に接続された折り目状の左側縁部と、前記第一面部の右端と前記第二面部の右端とが一体的に接続された折り目状の右側縁部と、有し、上方及び下方が開口して成る第一の袋及び第二の袋を備え、
前記第二の袋は、前記第二の袋の前記第一面部又は前記第二面部の一方が前記第一の袋の前記左側縁部又は前記右側縁部の一方に対向し、前記第二の袋の前記第一面部又は前記第二面部の他方が前記第一の袋の前記左側縁部又は前記右側縁部の他方に対向するよう、前記第一の袋に被せられている、
ことを特徴とする立体花入れ袋。
【請求項２】
前記第二の袋は、前記第二の袋の前記第一面部又は前記第二面部の一方の左右方向略中央に前記第一の袋の前記左側縁部又は前記右側縁部の一方が位置し、前記第二の袋の前記第一面部又は前記第二面部の他方の左右方向略中央に前記第一の袋の前記左側縁部又は前記右側縁部の他方が位置するよう、前記第一の袋に対して配置されている、
請求項１に記載の立体花入れ袋。
【請求項３】
前記第一の袋は、前記左側縁部及び前記右側縁部の少なくとも一方に切り込みを備え、
前記切り込みには前記第二の袋の上部が挿入されている、
請求項１又は２に記載の立体花入れ袋。
【請求項４】
第一面部と、前記第一面部に対向する第二面部と、前記第一面部の左端と前記第二面部の左端とが一体的に接続された折り目状の左側縁部と、前記第一面部の右端と前記第二面部の右端とが一体的に接続された折り目状の右側縁部と、有し、上方及び下方が開口して成る第一の袋及び第二の袋を、前記第二の袋が前記第一の袋の下方に位置するよう準備する工程と、
前記第一の袋及び前記第二の袋内に花を挿入する工程と、
前記第二の袋の前記第一面部又は前記第二面部の一方が前記第一の袋の前記左側縁部又は前記右側縁部の一方に対向し、前記第二の袋の前記第一面部又は前記第二面部の他方が前記第一の袋の前記左側縁部又は前記右側縁部の他方に対向するよう、前記第二の袋を前記第一の袋に被せる工程と、
を含むことを特徴とする立体花入れ袋によって包装された花製品の製造方法。
【発明の詳細な説明】
【技術分野】
【０００１】
本発明は花を入れるための立体花入れ袋、及び立体花入れ袋によって包装された花製品の製造方法に関する。
【背景技術】
【０００２】
切り花等の花を店舗で販売する場合、袋に入れて販売することがある。この袋は、第一面部と、第一面部に対向する第二面部と、第一面部の左端と第二面部の左端とが一体的に接続された左側縁部と、第一面部の右端と第二面部の右端とが一体的に接続された右側縁部とを備えている。第一面部及び第二面部はポリエステル等の合成樹脂製の薄い柔軟なシートから作製されている。左側縁部及び右側縁部は折り目を有している。第一面部の上端と第二面部の上端及び第一面部の下端と第二面部の下端はそれぞれ接続されておらず、袋の上端及び下端は開口している。
【発明の概要】
【発明が解決しようとする課題】
【０００３】
このような袋の第一面部及び第二面部は柔軟であるため、第一面部と第二面部とが互いに接近するよう袋は閉じようとする。そのため、袋が潰れ花の見栄えが悪くなるという問題がある。
【０００４】
本発明は、広がったままの状態が維持可能な立体花入れ袋、及び立体花入れ袋内に花が収容された花製品を提供することを目的とする。
【課題を解決するための手段】
【０００５】
本発明は下記に掲げる態様の発明を提供する。
（項目１）
第一面部と、前記第一面部に対向する第二面部と、前記第一面部の左端と前記第二面部の左端とが一体的に接続された折り目状の左側縁部と、前記第一面部の右端と前記第二面部の右端とが一体的に接続された折り目状の右側縁部と、有し、上方及び下方が開口して成る第一の袋及び第二の袋を備え、
前記第二の袋は、前記第二の袋の前記第一面部又は前記第二面部の一方が前記第一の袋の前記左側縁部又は前記右側縁部の一方に対向し、前記第二の袋の前記第一面部又は前記第二面部の他方が前記第一の袋の前記左側縁部又は前記右側縁部の他方に対向するよう、前記第一の袋に被せられている、
ことを特徴とする立体花入れ袋。
（項目２）
前記第二の袋は、前記第二の袋の前記第一面部又は前記第二面部の一方の左右方向略中央に前記第一の袋の前記左側縁部又は前記右側縁部の一方が位置し、前記第二の袋の前記第一面部又は前記第二面部の他方の左右方向略中央に前記第一の袋の前記左側縁部又は前記右側縁部の他方が位置するよう、前記第一の袋に対して配置されている、
項目１に記載の立体花入れ袋。
（項目３）
前記第一の袋は、前記左側縁部及び前記右側縁部の少なくとも一方に切り込み部を備え、
前記切り込み部には前記第二の袋の上部が挿入されている、
項目１又は２に記載の立体花入れ袋。
（項目４）
第一面部と、前記第一面部に対向する第二面部と、前記第一面部の左端と前記第二面部の左端とが一体的に接続された折り目状の左側縁部と、前記第一面部の右端と前記第二面部の右端とが一体的に接続された折り目状の右側縁部と、有し、上方及び下方が開口して成る第一の袋及び第二の袋を、前記第二の袋が前記第一の袋の下方に位置するよう準備する工程と、
前記第一の袋及び前記第二の袋内に花を挿入する工程と、
前記第二の袋の前記第一面部又は前記第二面部の一方が前記第一の袋の前記左側縁部又は前記右側縁部の一方に対向し、前記第二の袋の前記第一面部又は前記第二面部の他方が前記第一の袋の前記左側縁部又は前記右側縁部の他方に対向するよう、前記第二の袋を前記第一の袋に被せる工程と、
を含むことを特徴とする立体花入れ袋によって包装された花製品の製造方法。
【発明の効果】
【０００６】
本発明の立体花入れ袋では、第二の袋が閉じようとする際に、第二の袋の第一面部及び第二面部が第一の袋の左側縁部及び右側縁部を押圧する。これにより、第一の袋の左側縁部及び右側縁部は互いに接近する方向へ移動し、その結果、第一の袋の第一面部及び第二面部は互いに離間する方向へ移動する。したがって、第一の袋の広がった状態を維持することができ、収容された花の見栄えをよくすることができる。
【図面の簡単な説明】
【０００７】
【図１】本発明の花入れ立体袋及び花製品の概略正面図である。
【図２】（ａ）から（ｃ）はそれぞれ第一の袋の平面図、正面図、底面図である。
【図３】（ａ）から（ｃ）はそれぞれ第二の袋の平面図、正面図、底面図である。
【図４】（ａ）は第一の袋に第二の袋を被せる前の斜視図であり、（ｂ）は第一の袋に第二の袋を被せた後の斜視図である。
【図５】（ａ）から（ｃ）は花製品の製造手順を示す概略図である。
【発明を実施するための形態】
【０００８】
本発明について図面を参照しながら説明する。以下で説明する実施形態は、いずれも本発明の好ましい一具体例を示すものである。本発明は、以下の実施形態に限定されず、その趣旨を逸脱しない範囲で適宜変更可能である。
【０００９】
＜立体花入れ袋＞
図１は本発明の立体花入れ袋１及び花製品１００の概略正面図である。立体花入れ袋１は、花１０を包装するための袋である。立体花入れ袋１は、第一の袋２と第二の袋３とを備え、第二の袋３は第一の袋２の下部の外側に被せられている。花１０は、切り花（生花）及び造花を含む。
【００１０】
図２（ａ）から（ｃ）はそれぞれ第一の袋２の平面図、正面図、底面図である。説明の便宜上、図２（ｂ）の上、下、右、左をそれぞれ第一の袋２の上、下、右、左として説明する。第一の袋２は、第一面部２１と、第一面部２１に対向する第二面部２２と、第一面部２１の左端と第二面部２２の左端とが一体的に接続された左側縁部２３と、第一面部２１の右端と第二面部２２の右端とが一体的に接続された右側縁部２４とを備えている。第一面部２１及び第二面部２２によって囲まれる空間は、花１０を収容するための空間である。正面視において、第一面部２１及び第二面部２２は共に上辺が下辺よりも長い逆円錐台形状である。第一面部２１の上端は第二面部２２の上端よりも下方に位置しており、第一面部２１の下端は第二面部２２の下端よりも上方に位置している。第一面部２１及び第二面部２２には複数の貫通孔２５が形成されている。左側縁部２３及び右側縁部２４はそれぞれ折り目が付された縁部である。第一面部２１及び第二面部２２には、左側縁部２３及び右側縁部２４から斜め上方に向けて切り込まれた切り込み部２６が形成されている。第一面部２１及び第二面部２２の上端及び下端は接続されておらず、したがって、第一の袋２の上端及び下端は開口している。
【００１１】
図３（ａ）から（ｃ）はそれぞれ第二の袋３の平面図、正面図、底面図である。説明の便宜上、図３（ｂ）の上、下、右、左をそれぞれ第二の袋３の上、下、右、左として説明する。第二の袋３は、第一面部３１、第二面部３２、左側縁部３３、右側縁部３４及び貫通孔３５を備える。第二の袋３のこれらの構成要素は第一の袋２の各構成要素と同じであるため、詳細な説明を省略する。第二の袋３の第一の袋２との相違点は、第二の袋３の上下方向長さが第一の袋２のそれよりも短いこと、第一面部３１の上端と第二面部３２の上端とは同じ高さであること、第二の袋３には切り込み部が存在しないことである。なお、第二の袋３の上下方向長さは第一の袋２と同一であってもよく、第一の袋２と同様に、第一面部３１の上端は第二面部３２の上端よりも下方に位置していてもよい。貫通孔３５は形成されていなくてもよい。第二の袋３の左右方向長さは、第一の袋２のそれよりも小さくてもよい。
【００１２】
第一の袋２及び第二の袋３はポリエチレンやポリプロピレンなどの柔軟な合成樹脂シートから作製することができる。第一の袋２及び第二の袋３は透明であっても、色や模様が付されていてもよい。例えば、内側の第一の袋２は透明であり、外側の第二の袋３は色や模様を有していてもよい。
【００１３】
図４（ａ）は第一の袋２に第二の袋３を被せる前の斜視図であり、図４（ｂ）は第一の袋２に第二の袋３を被せた後の斜視図である。第二の袋３は、第二の袋３の第一面部３１が第一の袋２の左側縁部２３に対向し、第二の袋３の第二面部３２が第一の袋２の右側縁部２４に対向するよう、第一の袋２の外側下部に被せられている。第二の袋３は、第一面部３１の左右方向略中央に第一の袋２の左側縁部２３が位置し、第二面部３２の左右方向略中央に第一の袋２の右側縁部２４が位置するよう、第一の袋２に対して配置されることが好ましい。第二の袋３の上端は、第一の袋２の切り込み部２６に挿入されている。第二の袋３の下端は第一の袋２の下端と略同じ高さに位置している。
【００１４】
本発明の立体花入れ袋１の作用効果について説明する。
【００１５】
第二の袋３の第一面部３１及び第二面部３２は柔軟な材料から作製されているため、図４（ｂ）の矢印Ａで示すように、第二の袋３の第一面部３１及び第二面部３２は互いに接近する方向へ移動しようとする。このとき、第二の袋３の第一面部３１は第一の袋２の左側縁部２３と接触して左側縁部２３を押圧し、第二の袋３の第二面部３２は第一の袋２の右側縁部２４と接触して右側縁部２４を押圧する。すなわち、第一の袋２の左側縁部２３及び右側縁部２４は、第二の袋３の第一面部３１及び第二面部３２によって互いに接近する方向に押圧される。第一の袋２の左側縁部２３及び右側縁部２４が互いに接近する方向に押されることにより、図４（ｂ）の矢印Ｂで示すように、第一の袋２の第一面部２１及び第二面部２２は互いに離間する方向に広げられる。これにより、第一の袋２は潰れることなく広がったままの状態が維持されることになる。その結果、立体花入れ袋１に入れられた花１０の見栄えをよくすることができる。
【００１６】
第一の袋２が切り込み部２６を備えており、第二の袋３の上端がその切り込み部２６に挿入されることにより、第二の袋３の上端が切り込み部２６によって挟持される。これにより、第一の袋２と第二の袋３とが上下方向に分離することを防止できる。また、第一の袋２と第二の袋３との相対回転を防止することができる。
【００１７】
第一の袋２の第一面部２１の上端が第二面部２２の上端よりも下方に位置し、第一面部２１の上端と第二面部２２の上端とが重なっていないことにより、第一面部２１の上端及び第二面部２２の上端が掴みやすくなる。これにより、第一の袋２の上端をあけて第一の袋２内に花１０を入れる作業が行いやすくなる。
【００１８】
＜立体花入れ袋で包装された花製品の製造方法＞
次に立体花入れ袋１で包装された花製品１００の製造方法について説明する。上記で既に説明した構成要素については同一の符号を付し、その説明を省略する。図５（ａ）から（ｃ）は、花製品１００の製造手順を示す概略図である。
【００１９】
本製造方法では、まず、第一の袋２及び第二の袋３を準備する。この準備工程において、第二の袋３は第一の袋２の下方に配置される。本実施形態において、この準備工程は、図５（ａ）に示す、第一の袋２と、第一の袋２の上端に接続された支持部４と、第一の袋２の下端に接続された第二の袋３とを備える、袋部材５を準備する工程である。
【００２０】
支持部４は第一の袋２と同一の材料から構成されている。支持部４には左右方向に所定間隔あけて複数の貫通孔４１が形成されている。袋部材５は貫通孔４１に例えば壁に取り付けられたフックを挿入することにより壁に吊り下げ可能となっている。支持部４の下端は第一の袋２の第二面部２２のみと接続されている。支持部４と第一の袋２の第二面部２２との接続部にはミシン目（図５（ａ）において破線で示す）が形成されており、これにより支持部４と第一の袋２とは切り離し可能となっている。第二の袋３の上端は第一の袋２の第二面部２２のみと接続されている。第二の袋３と第一の袋２の第二面部２２との接続部にはミシン目（図５（ａ）において破線で示す）が形成されており、これにより第一の袋２と第二の袋３とは切り離し可能となっている。
【００２１】
図５（ｂ）に示すように、第一の袋２及び第二の袋３を広げ、第一の袋２及び第二の袋３に花１０を挿入する。
【００２２】
図５（ｃ）に示すように、第二の袋３を第一の袋２から切り離し、第二の袋３の第一面部３１が第一の袋２の左側縁部２３に対向し、第二の袋３の第二面部３２が第一の袋２の右側縁部２４に対向するよう、第二の袋３を回転させると共に第一の袋２に被せ、第二の袋３の上端を第一の袋２の切り込み部２６に挿入する。
【００２３】
最後に、第一の袋２を支持部４から切り離す。こうして、図１に示す、立体花入れ袋１によって包装された花製品１００が完成する。
【００２４】
本製造方法の準備工程では、必ずしも袋部材５を使用する必要はなく、また、必ずしも第一の袋２と第二の袋３とが接続されている必要はない。袋部材５は複数枚重ねられ、それらは支持部４のみが融着などにより互いに分離不能に接続されていてもよい。
【符号の説明】
【００２５】
１        立体花入れ袋
２        第一の袋
２１      第一面部
２２      第二面部
２３      左側縁部
２４      右側縁部
２６      切り込み部
３        第二の袋
３１      第一面部
３２      第二面部
３３      左側縁部
３４      右側縁部
１０      花
１００    花製品
【図１】
2019104513.tif 000003
【図２】
2019104513.tif 000004
【図３】
2019104513.tif 000005
【図４】
2019104513.tif 000006
【図５】
2019104513.tif 000007